【事件の表示】
　平成　９年特許願第３０３０５７号「昇降式黒板」拒絶査定不服審判事件〔平成１１年　５月２５日出願公開、特開平１１−１３７３６２〕について、次のとおり審決する。
【結　論】
　本件審判の請求は、成り立たない。
【理　由】
１．手続の経緯
　本願は、平成９年１１月５日の出願であって、平成１８年９月８日付けで拒絶査定がなされ、これに対し、平成１８年１０月１２日に拒絶査定に対する審判請求がなされたものである。
　
２．本願発明
　本願の請求項１に係る発明（以下、「本願発明」という。）は、平成１８年７月２１日付けの手続補正書によって補正された特許請求の範囲の請求項１に記載された事項により特定される、次のとおりのものである。
「黒板（３）を支持する支持枠（４）が固定枠（１）に沿って昇降するように設けられると共に、固定枠（１）の内側に黒板（３）の重量を吸収するようにした平衡装置（５）が設けられた昇降式黒板において、
　前記平衡装置（５）に含まれるスプリング手段（６）を、二個のスプリング台（１３、１４）にそれぞれ設けられた複数対の係止孔（１６、１７）のうちの少なくとも１対を残して、他の係止孔の間にスプリング（１５）を掛け渡したものとし、
　スプリングが掛け渡されずに残された前記係止孔を、スプリングの補充スペースとして空けておくようにしたことを特徴とする昇降式黒板。」
　
３．引用文献
（１）原査定の拒絶の理由に引用され、本願出願前に頒布された刊行物である実願昭５１−１４６４５５号（実開昭５３−６２４５３号）のマイクロフィルム（以下、「引用文献１」という。）には、「黒板装置」に関して、第１図及び第２図とともに以下の記載がある。
　
（１ａ）「2　実用新案登録請求の範囲
　黒板(4)の昇降に伴つて強制回転される回転体(8)を設けると共に、前記黒板(4)の自重下降に抗する方向に前記回転体(8)に作用する付勢機構(13)を設けた黒板装置であつて、前記回転体(8)に内拡式ブレーキ(6)を制動並びに制動解除自在に設けてあることを特徴とする黒板装置。」
（明細書１ページ４〜１０行）
　
（１ｂ）「このように、黒板の昇降に伴つて強制回転される回転体にブレーキを設けることによつて、例え前記黒板と付勢機構とが力学的にアンバランス状態であつても、つまり、例えば補助黒板や教材、掲示板などの黒板付帯設備をチヨーク受けに載せ付けるなどによつて力学的バランスが崩れても、黒板が不測に下降するような不都合を回避でき、……」
（明細書２ページ４〜１１行）
　
（１ｃ）「次に、本考案実施の態様を例示図に基づいて詳述する。
　昇降式黒板装置は、取付け具(1)・・を介して壁面や移動架台などに固設される枠体(2)と、この枠体(2)を上下方向に貫通する杆体(3),(3)を介して前記枠体(2)に対して昇降を自在にする黒板(4)、及びこの黒板(4)を力学的バランスによつて上下任意位置で停止させるための平衡装置(5)と、前記枠体(2)に対する黒板(4)の下降に対して制動並びに制動解除作用するブレーキ(6)から構成されている。
　前記平衡装置(5)は、黒板面に直交する軸(7)を前記枠体(2)に固着し、この軸(7)に、回転体(8)とカム体(9)及び後述するブレーキ(6)の制動ドラム(10)を一体化して遊転自在に軸架し、そして枠体(2)に経路変曲用輪体(11)・・を設けて、前記黒板(4)と回転体(8)とを少なくとも一方に例えばターンバツクル等の距離変更機構(22),(22)を介して２本の索(12),(12)によつて連結すると共に、この索(12)とは逆巻きにして前記カム体(9)と枠体(2)とを、黒板(4)の自重下降に抗する方向に付勢する機構(13)を介して索(14)によつて連結して、黒板(4)の昇降に伴つて前記回転体(8)を強制回転すべく構成し、そして黒板(4)の下降により順次増大する付勢機構(13)の付勢力によるカム体(9)の回転トルクが、黒板(4)の重量による回転体(8)の回転トルクと常に一致するように、カム体(9)のカム作用部を半径方向で順次小さくなるように形成し、もつて前記黒板(4)をその重量に抗する付勢機構(13)によつて吊下げ支持して、力学的バランスにより上下任意の位置において停止できるように構成されている。」
（明細書３ページ１１行〜５ページ２行）
　
（１ｄ）「4　図面の簡単な説明
　図面は本考案に係る黒板装置の実施の態様を例示し、第１図は全体の背面斜視図、……である。」
（明細書７ページ５〜９行）
　
（１ｅ）前記（１ｄ）の「図面の簡単な説明」で「全体の背面斜視図」とされている第１図には、枠体(2)を上下方向に貫通する一対の杆体(3),(3)が、これらの上端どうし及び下端どうしをそれぞれ連結する横材とともに、黒板(4)を支持する支持枠を構成している態様が示されている。
　また、同第１図には、平衡装置(5)が枠体(2)の内側に設けられている態様、及びこの平衡装置(5)に含まれる付勢機構(13)が、二個のスプリング台の間に三本のスプリングを掛け渡したものとして構成されている態様が示されている。
　
　これらの記載事項及び図面を参照すると、引用文献１には、次の発明（以下、「引用発明」という。）が記載されていると認める。
（引用発明）
「壁面や移動架台などに固設される枠体（２）と、この枠体（２）を上下方向に貫通する一対の杆体（３）、（３）を介して前記枠体（２）に対して昇降を自在にする黒板（４）と、枠体（２）の内側に設けられ、この黒板（４）を力学的バランスによって上下任意位置で停止させるための平衡装置（５）とから構成されている昇降式黒板装置において、
　前記一対の杆体（３）、（３）が、これらの上端どうし及び下端どうしをそれぞれ連結する横材とともに、黒板（４）を支持する支持枠を構成しており、
　前記平衡装置（５）が枠体（２）の内側に設けられ、この平衡装置（５）に含まれる付勢機構（１３）を、二個のスプリング台の間に三本のスプリングを掛け渡したものとした昇降式黒板装置。」
　
（２）原査定の拒絶の理由に引用され、本願出願前に頒布された刊行物である実願平３−７９３３号（実開平６−１９５８８号）のＣＤ-ＲＯＭ（以下、「引用文献２」という。）には、「落し込み形食器収納装置」に関して、図１〜図４とともに以下の記載がある。
　
（２ａ）「【請求項１】　上方開口の収納部を有する本体ケースと、
ガイドレールに案内されて前記収納部内を上下動自在に設けられた食器受台と、
前記食器受台を上方へ付勢する引張りばねと、
前記収納部に隔壁を隔てて設けられ前記食器受台上に載置された食器に熱風を送風する熱風機と、を有する落し込み形食器収納装置であって、
前記引張りばねは、前記本体ケースの上部に設けられたばね用ローラーを介して逆Ｕ字状に巻掛けられた複数個のコイル状ばねからなり、
前記熱風機は、前記隔壁の上下方向の中部位置から下部位置にかけて設けられて前記収納部と連通した複数個の熱風送出口を有することを特徴とする落し込み形食器収納装置。」
　
（２ｂ）「【００１５】
　そして、引張りばねの付勢力は、ばね掛け部材の位置により微調整でき、また載置される食器の種類等が変って平衡させる荷重が大きく変った場合は、引張りばねの個数の増減により対応を行うことができる。……」
　
（２ｃ）「【００１６】
　　【実施例】
　以下、この考案の一実施例を図１ないし図４に基づいて説明する。
【００１７】
　図において１は落し込み形食器収納装置であり、本体ケース３および食器受台１０，ガイドレール２０並びにばね用ローラー２５，引張りばね３０，熱風機３５とから主に構成されている。
【００１８】
　本体ケース３は、内周面を断熱壁で形成した箱状体であり、所定の位置に設けられた隔壁４により、一側に上方が開口した収納部７および他側に機構部９が形成され、収納部７の開口部を開閉自在に蓋６が蝶着されている。……
【００１９】
　食器受台１０は、食器４５を載置する多孔板１１と、多孔板１１を支持する腕部材１２，１３とから形成されている。……また、腕部材１２，１３の基端部１２ａ，１３ａは、機構部９内に突出するとともに、夫々に１対のガイドローラー１５および１対の補助ローラー１６が回動自在に配設されており、更に、基端部１２ａにはばね掛け片１４が延設されている。そして、腕部材１２，１３は収納部７内において、連結部材１８により一体的に連結され、その上部に多孔板１１が固着されている。
【００２０】
　ガイドレール２０は、１対の異形Ｃ状断面の部材からなり、機構部９の隔壁４に近接して対向状に配設されている。そして、その内壁立上り部においてガイドローラー１５を転動させて上下方向へ案内し、その折曲端縁において補助ローラー１６を転動させて、多孔板１１の水平状態を保持するように形成されている。そして、食器受台１０はガイドレール２０に案内されて、収納部７内を水平状態で上下動可能に形成されている。
【００２１】
　ばね用ローラー２５は、実施例では並設された４個の環状凹入部を有する円筒部材からなり、上記ばね掛け片１４の上方に位置するように、そのローラー軸２７が、ガイドレール１５の上部に設けられた１対の軸受部２８により回転自在に支持されている。
【００２２】
　一方、機構部９の下部には突出片８が設けられており、この突出片８には、引張りばね３０の一端を係止するためのばね掛け部材３１が、調整用ボルト３２を介して上下移動可能に配設されている。そして、実施例では４個の引張りばね３０が、ばね用ローラー２５の環状凹入部に夫々巻掛けられて、食器受台１０のばね掛け片１４とばね掛け部材３１との間に張設されている。この引張りばね３０の引張力は、ばね掛け片１４とばね用ローラー２５との間では上方に作用し、ばね用ローラー２５とばね掛け部材３１との間では下方に作用しており、全体として食器受台１０を上方へ付勢するように作用している。そして、この付勢力は、引張りばねの線材の材質，太さ，コイル径，巻き数等により調整可能であり、張設個数の増減によっても調整できる。更に、上記調整用ボルト３２のねじ込み，ねじ戻しによって付勢力の微調整を行うことができる。」
　
（２ｄ）「【００２７】
　また、引張りばねの付勢力は、ばね掛け部材の位置により微調整できるとともに、載置される食器の種類等が変って平衡させる荷重が大きく変った場合でも、引張りばねの個数の増減により容易に対応することができる。……」
　
４．対比
　本願発明と引用発明とを対比する。
　引用発明の「壁面や移動架台などに固設される枠体（２）」、「黒板（４）を力学的バランスによって上下任意位置で停止させるための平衡装置（５）」、「昇降式黒板装置」は、本願発明の「固定枠（１）」、「黒板（３）の重量を吸収するようにした平衡装置（５）」、「昇降式黒板」にそれぞれ相当する。
　引用発明の「平衡装置（５）に含まれる付勢機構（１３）を、二個のスプリング台の間に三本のスプリングを掛け渡したものとし」と、本願発明の「平衡装置（５）に含まれるスプリング手段（６）を、二個のスプリング台（１３、１４）にそれぞれ設けられた複数対の係止孔（１６、１７）のうちの少なくとも１対を残して、他の係止孔の間にスプリング（１５）を掛け渡したものとし」とは、「平衡装置（５）に含まれるスプリング手段を、二個のスプリング台の間にスプリングを掛け渡したものとし」の点で共通している。
　引用発明は、「枠体（２）を上下方向に貫通する」「一対の杆体（３）、（３）が、これらの上端どうし及び下端どうしをそれぞれ連結する横材とともに、黒板（４）を支持する支持枠を構成しており」、これら「一対の杆体（３）、（３）を介して」、黒板（４）が「枠体（２）に対して昇降を自在にする」ものであることから、「黒板を支持する支持枠が固定枠に沿って昇降するように設けられる」ものであることは明らかである。
　
　以上のことから、本願発明と引用発明とは、
「黒板を支持する支持枠が固定枠に沿って昇降するように設けられると共に、固定枠の内側に黒板の重量を吸収するようにした平衡装置が設けられた昇降式黒板において、
　前記平衡装置に含まれるスプリング手段を、二個のスプリング台の間にスプリングを掛け渡したものとした昇降式黒板。」
で一致し、次の点で相違する。
　
〔相違点〕
　本願発明は、スプリング手段を、二個のスプリング台にそれぞれ設けられた複数対の係止孔のうちの少なくとも１対を残して、他の係止孔の間にスプリングを掛け渡したものとし、スプリングが掛け渡されずに残された前記係止孔を、スプリングの補充スペースとして空けておくようにしたのに対して、引用発明は、スプリング手段を、二個のスプリング台の間にスプリングを掛け渡したものとしたものの、二個のスプリング台にそれぞれ複数対の係止孔が設けられているか定かでなく、複数対の係止孔のうちの少なくとも１対を残して、他の係止孔の間にスプリングを掛け渡したものとし、スプリングが掛け渡されずに残された前記係止孔を、スプリングの補充スペースとして空けておくようにしたものではない点。
　
５．判断
　前記相違点について以下検討する。
　引用文献２には、落し込み形食器収納装置において、複数個のコイル状ばねからなり食器受台１０を上方へ付勢する引張りばね３０を、ばね掛け部材３１と食器受台１０のばね掛け片１４との間に張設すること、載置される食器の種類等が変って平衡させる荷重が大きく変った場合は、引張りばねの個数の増減により対応を行うことができることが記載されている。
　ここにおいて、前記ばね掛け部材３１とばね掛け片１４との間に引張りばね３０を張設したものはスプリング手段であるといえ、このスプリング手段を備えた機構により、食器受台１０及びその上に載置される食器の荷重を平衡させることから、引用文献２には、スプリング手段を含む平衡装置に係る技術が記載されているといえる。
　また、引用文献２の図２を図１及び図４とともに見ると、ばね掛け部材３１に、引張りばね３０の一端を係止するための係止孔が、引張りばね３０の個数分設けられている態様が示されている。
　一方で、引用文献２には、食器受台１０のばね掛け片１４に、ばね掛け部材３１と同様の係止孔が形成されていることは明記されていない。しかし、引用文献２には、引張りばねの個数を増減できることが記載されていること、図１及び図４を見ると、引張りばね３０は、その両端がフック形状となっていることからすると、引張りばね３０の個数を増減する際に、ばね掛け片１４に対して引張りばね３０のフック形状の端部を掛け外しできるようにするために、ばね掛け片１４にも、ばね掛け部材３１と同様に係止孔が形成されているとみるのが自然である。
　さらに、引用文献２の「載置される食器の種類等が変って平衡させる荷重が大きく変った場合は、引張りばねの個数の増減により対応を行うことができる」（前記（２ｂ）（２ｄ）参照）という記載からみて、引用文献２には、載置される食器による荷重が増えた場合に引張りばねの個数を増やすことが記載されていると認められる。引張りばねの個数を増やすための具体的な手段については引用文献２に記載されていないものの、当業者であれば、ばね掛け片１４及びばね掛け部材３１を係止孔の数を増やした別のものに交換することや、ばね掛け片１４及びばね掛け部材３１にそれぞれ設けた複数対の係止孔のうちの少なくとも１対を残して、他の係止孔の間に引張りばねを掛け渡し、引張りばねが掛け渡されずに残された前記係止孔を、引張りばねの補充スペースとして空けておくことは、自然に思い浮かぶことである。
　なお、引用文献２の前記記載中の「載置される食器の種類等が変って平衡させる荷重が大きく変った場合」が、引張りばねの個数の増減を、一製品の使用開始後に行うことを排除しているとは、引用文献２全体の記載をみても認めることができない。
　
　一方、引用文献１には、「補助黒板や教材、掲示板などの黒板付帯設備をチヨーク受けに載せ付けるなどによつて力学的バランスが崩れ」ること、すなわち、黒板の使用開始後に黒板の重量が増える可能性があることが記載されている（前記（１ｂ）参照）。
　また、黒板の使用開始後に、既に張ってある板面を剥がすことなくこの板面の上から新しい板面を張り替えることは、例えば、実願平５−４２１０４号（実開平７−１１３８９号）のＣＤ-ＲＯＭ（特に、段落【０００８】参照）、及び特開平７−２８５２９４号公報に記載されているように本願出願前に周知の技術であり、このようにして張り替えた場合、黒板の重量が増えることは、前者のＣＤ-ＲＯＭの段落【０００８】にも記載されているように当業者にとって自明のことである。
　そうすると、黒板の重量がその使用開始後に増えることがあることは普通に知られていることであるといえる。
　
　以上のことからみて、引用発明において、黒板の使用開始後に重量が増えることは当然想定され、このような重量増加に対応できるようにすることは引用文献２にも記載されているように当業者が普通に考えることであるから、平衡装置に含まれるスプリング手段に、引用文献２に記載の平衡装置に含まれるスプリング手段の構成を適用することにより、二個のスプリング台にそれぞれ複数対の係止孔を設けること、及びその際、複数対の係止孔のうちの少なくとも１対を残して、他の係止孔の間にスプリングを掛け渡し、スプリングが掛け渡されずに残された前記係止孔を、スプリングの補充スペースとして空けておくようにすることは、当業者が容易に想到し得るものである。
　
　そして、本願発明の作用効果も、引用発明並びに引用文献２に記載された技術及び周知技術から当業者が予測できる範囲内のものであって、格別なものということはできない。
　
６．むすび
　以上のとおり、本願発明は、引用発明並びに引用文献２に記載された技術及び周知技術に基づいて、当業者が容易に発明をすることができたものであるから、特許法第２９条第２項の規定により特許を受けることができない。
　よって、結論のとおり審決する。